(57)【要約】【課題】本発明は、手の指を簡単かつ確実に屈伸させることができる指屈伸補助用グローブを提供することを目的とする。【解決手段】この指屈伸補助用グローブ１は、人の手の指の屈伸を補助するためのものであって、人の手の第２指Ｆ２から第５指Ｆ５の全指の各第２関節Ｆ２ｂ〜Ｆ５ｂと各第３関節Ｆ２ｃ〜Ｆ５ｃとの間であって、各指Ｆ２〜Ｆ５と掌Ｐの境界部分Ｂ２〜Ｂ５に対応する位置に指屈伸補助部材１０が設けられている。これにより指屈伸補助部材１０が虫様筋ＭＡに作用して、該虫様筋ＭＡに連結された腱が引っ張られ易くなるため、各指Ｆ２〜Ｆ５を簡単かつ確実に屈伸させることができる。また、各指Ｆ２〜Ｆ５を屈伸させる際に腱および腱鞘にかかる負担が小さくなるため、痛みを生じさせないあるいは痛みを軽減することができる。【選択図】図１
2014147604.tif 000002
【特許請求の範囲】
【請求項１】
人の手の指の屈伸を補助するための指屈伸補助用グローブであって、
人の手の第２指から第５指の少なくともいずれかの指の第２関節と第３関節の間であって、指と掌の境界部分に対応する位置に指屈伸補助部材が設けられていることを特徴とする指屈伸補助用グローブ。
【請求項２】
前記指屈伸補助部材は、第２指から第５指にかけて掌の幅方向に延びる態様に形成されている請求項１に記載の指屈伸補助用グローブ。
【請求項３】
前記指屈伸補助部材は、掌に平行な平板状に形成されている請求項１または請求項２に記載の指屈伸補助用グローブ。
【請求項４】
前記指屈伸補助部材は、厚みが３〜８ｍｍに形成されている請求項３に記載の指屈伸補助用グローブ。
【請求項５】
前記指屈伸補助部材は、幅が５〜４０ｍｍに形成されている請求項３または請求項４に記載の指屈伸補助用グローブ。
【請求項６】
前記指屈伸補助部材は、弾性部材からなる請求項１ないし請求項５のいずれかに記載の指屈伸補助用グローブ。
【請求項７】
前記指屈伸補助部材は、第２指から第５指にかけて掌の幅方向に延び、第５指の端部で手の甲側に回り込んだあと、第５指から第２指にかけて手の甲の幅方向に延び、第２指の端部で掌側に回り込んで戻る態様の環状に形成されている請求項１ないし請求項６のいずれかに記載の指屈伸補助用グローブ。
【請求項８】
人の手の指の屈伸を補助するための指屈伸補助用グローブであって、
人の手の第１指の第１関節と第２関節の間であって、指と掌の境界部分に対応する位置に第１指用の指屈伸補助部材が設けられていることを特徴とする指屈伸補助用グローブ。
【発明の詳細な説明】
【技術分野】
【０００１】
本発明は、主に腱鞘炎、老化、あるいは手の不自由等により手の指を屈伸し難くなっている者に対して、手の指の屈伸を補助するグローブに関するものである。
【背景技術】
【０００２】
一般に、人の手は、図１３（ａ）に示すように、筋肉に連結された腱Ｔが各所に設けられた腱鞘Ｔｓを通って手の指の骨に接続されており、筋肉が伸縮することによって腱鞘Ｔｓを介して腱Ｔが引っ張られるような構造となっている。そして、筋肉の伸縮によって図１３（ｂ）に示す矢印Ａの方向に向かって腱Ｔを引っ張る力を強めたりあるいは弱めたりすることにより、腱Ｔに接続された指の骨を動かして指を屈伸させることができる。
【０００３】
例えば、第２指Ｆ２の第３関節Ｆ２ｃを屈伸させる場合には、掌から第２指Ｆ２の第２関節Ｆ２ｂ付近まで延在する虫様筋ＭＡという筋肉（図１３（ｃ）参照）が収縮して、第２指Ｆ２の第２関節Ｆ２ｂと第３関節Ｆ２ｃの間の骨に接続された腱Ｔが引っ張られることにより、第３関節Ｆ２ｃで第２指Ｆ２を曲げることができ、虫様筋ＭＡが伸展して腱Ｔを引っ張る力が弱まることにより、第３関節Ｆ２ｃで第２指Ｆ２を伸ばすことができる。また、第１指Ｆ１の第２関節Ｆ１ｂを屈伸させる場合には、母指内転筋ＭＢという筋肉（図１３（ｃ）参照）が伸縮して、腱Ｔが第１関節Ｆ１ａと第２関節Ｆ１ｂの間の骨を引っ張る力を強めたりあるいは弱めたりすることにより、第２関節Ｆ１ｂで第１指Ｆ１を屈伸することができる。
【０００４】
人の手は、このような構造となっているため、指を何度も屈伸させる運動をしたり、あるいは重い荷物を持ったりする等、手を酷使して腱および腱鞘に大きな負担がかかると、指の屈伸時に痛みが生じることがあり、場合によっては腱鞘炎を発症する。また、老化等によって筋肉が弱化している状態で指を曲げながら力を入れると、腱や腱鞘に負担がかかり、痛みが生じることがある。このように腱や腱鞘を痛めることによって指を屈伸させることが困難となると、結果として手で物品等を握ったり、持ち上げたりすることができなくなってしまうことになる。
【０００５】
ところで、従来より物を握り易くするグローブが知られている（例えば、下記特許文献１〜４参照）。これらのグローブは、主にゴルフ等のスポーツにおいてクラブ等を握る際に用いられるものであり、グローブの掌側の指部分または掌部分に突起部材が設けられている。
【先行技術文献】
【特許文献】
【０００６】
【特許文献１】特開２００９−１１９２２４号公報
【特許文献２】特開２００５−８７７２５号公報
【特許文献３】特開２００４−１８１１４５号公報
【特許文献４】実開平７−２４３７５号公報
【発明の概要】
【発明が解決しようとする課題】
【０００７】
しかしながら、上述の従来のグローブは、クラブ等を握った手がずれないようにするためのもの、あるいはクラブ等を適切な位置で握らせるためのものばかりであり、指の屈伸の困難性を解消するものではなかった。
【０００８】
本発明は、上述の技術的背景に鑑みてなされたものであって、手の指を簡単かつ確実に屈伸させることができる指屈伸補助用グローブを提供することを目的とする。
【課題を解決するための手段】
【０００９】
本発明は、上記目的を達成するために、人の手の指の屈伸を補助するための指屈伸補助用グローブに係るものであり、人の手の第２指から第５指の少なくともいずれかの指の第２関節と第３関節の間であって、指と掌の境界部分に対応する位置に指屈伸補助部材が設けられていることを特徴とする。
【００１０】
これによれば、指屈伸補助部材はグローブが人の手の第２指から第５指の少なくともいずれかの指と掌の境界部分に対応する位置に設けられているため、手の指を屈伸させて指屈伸補助部材１０を幅方向に押圧すると、該指屈伸補助部材が虫様筋に作用して、該虫様筋に連結された腱が引っ張られ易くなるため、各指を簡単かつ確実に屈伸させることができる。また、各指を屈伸させる際に腱および腱鞘にかかる負担が小さくなるため、痛みを生じさせないあるいは痛みを軽減することができる。
【００１１】
また、指屈伸補助部材は、第２指から第５指にかけて掌の幅方向に延びる態様に形成されているのが好ましい。これによれば、指屈伸補助部材が第２指から第５指までの全ての虫様筋に同時に作用するため、第２指から第５指までの全ての指を簡単かつ確実に屈伸することができる。
【００１２】
また、指屈伸補助部材は、掌に平行な平板状に形成されているのが好ましい。これによれば、指屈伸補助部材が虫様筋に対して広い範囲で作用し得るため、指をより簡単かつ確実に屈伸させることができる。
【００１３】
また、指屈伸補助部材は、厚みが３〜８ｍｍに形成されているのが好ましい。これによれば、指を屈伸させる際の指屈伸補助部材による違和感を小さくするとともに、虫様筋に指屈伸補助部材を効率的に作用させることができる。
【００１４】
また、指屈伸補助部材は、幅が５〜４０ｍｍに形成されているのが好ましい。これによれば、指屈伸補助部材が指の屈伸を阻害することなく、虫様筋に指屈伸補助部材をより効率的に作用させることができる。
【００１５】
また、指屈伸補助部材は、弾性部材からなるのが好ましい。これによれば、指屈伸補助部材が指の屈伸に追随して変形するため、指をスムーズに屈伸させることができる。
【００１６】
また、指屈伸補助部材は、第２指から第５指にかけて掌の幅方向に延び、第５指の端部で手の甲側に回り込んだあと、第５指から第２指にかけて手の甲の幅方向に延び、第２指の端部で掌側に回り込んで戻る態様の環状に形成されているものであってもよい。これによれば、指屈伸補助部材が周方向にずれても、指屈伸補助部材を虫様筋の位置に対応させて配置することができる。
【００１７】
また、本発明は、上記目的を達成するために、人の手の指の屈伸を補助するための指屈伸補助用グローブに係るものであり、人の手の第１指の第１関節と第２関節の間であって、指と掌の境界部分に対応する位置に第１指用の指屈伸補助部材が設けられていることを特徴とする。
【００１８】
これによれば、第１指用の指屈伸補助部材が第１指と掌の境界部分に対応する位置に設けられているため、手の第１指を屈伸させて第１指用の指屈伸補助部材を幅方向に押圧すると、該第１指用の指屈伸補助部材が母指内転筋に作用して、該母指内転筋に連結された腱が引っ張られ易くなるため、各指を簡単かつ確実に屈伸させることができる。また、第１指を屈伸させる際に腱および腱鞘にかかる負担が小さくなるため、痛みを生じさせないあるいは痛みを軽減することができる。
【発明の効果】
【００１９】
本発明によれば、指屈伸補助部材はグローブが人の手の第２指から第５指の少なくともいずれかの指と掌の境界部分に対応する位置に設けられているため、手の指を屈伸させて指屈伸補助部材を幅方向に押圧すると、該指屈伸補助部材が虫様筋に作用して、該虫様筋に連結された腱が引っ張られ易くなるため、各指を簡単かつ確実に屈伸させることができる。また、各指を屈伸させる際に腱および腱鞘にかかる負担が小さくなるため、痛みを生じさせないあるいは痛みを軽減することができる。
【００２０】
また、第１指用の指屈伸補助部材が第１指と掌の境界部分に対応する位置に設けられた場合、手の第１指を屈伸させて第１指用の指屈伸補助部材を幅方向に押圧すると、該第１指用の指屈伸補助部材が母指内転筋に作用して、該母指内転筋に連結された腱が引っ張られ易くなるため、第１指を簡単かつ確実に屈伸させることができる。また、第１指を屈伸させる際に腱および腱鞘にかかる負担が小さくなるため、痛みを生じさせないあるいは痛みを軽減することができる。
【００２１】
さらに、本指屈伸補助グローブを着用した状態において第２指から第５指および／または第１指を屈伸させて、該指の先端で指屈伸補助部材および／または第１指用の指屈伸補助部材を押圧することにより、虫様筋および／または母指内転筋その他周囲の筋肉が強化され、血行を促進することができる。
【００２２】
このため主に腱鞘炎、老化、あるいは手の不自由等により手の指を屈伸し難くなっている者が本グローブを着用すると、痛みを生じさせることなく、あるいは痛みを軽減させた状態で、手の指を簡単かつ確実に指を屈伸させることが可能となる。
【図面の簡単な説明】
【００２３】
【図１】第１の実施形態に係る指屈伸補助グローブを示す斜視図である。
【図２】図１の指屈伸補助グローブを示す正面図である。
【図３】図１の指屈伸補助グローブを示す背面図である。
【図４】図１の指屈伸補助グローブを示す平面図である。
【図５】第２指から第５指を曲げた状態を示す側面図である。
【図６】第１指用の実施形態に係る指屈伸補助グローブを示す斜視図である。
【図７】第１指用の実施形態に係る指屈伸補助グローブのその他の例を示す斜視図である。
【図８】第２の実施形態に係る指屈伸補助グローブのその他の例を示す斜視図である。
【図９】第２の実施形態に係る指屈伸補助グローブのその他の例を示す斜視図である。
【図１０】第３の実施形態に係る指屈伸補助グローブを示す斜視図である。
【図１１】図１０の指屈伸補助グローブを示す正面図である。
【図１２】第１指を曲げた状態を示す正面図である。
【図１３】人の左手の構造を示す図である。
【発明を実施するための形態】
【００２４】
＜第１の実施形態＞
次に、本発明に係る指屈伸補助用グローブ（以下、本グローブという）の第１の実施形態について図１〜図５を参照しつつ説明する。なお、以下の説明において、手の第１指Ｆ１は母指、第２指Ｆ２は示指、第３指Ｆ３は中指、第４指Ｆ４は薬指、第５指Ｆ５は小指を意味する語句である。また、各指Ｆ１〜Ｆ５における各第１関節には「ａ」、各第２関節には「ｂ」、各第３関節には「ｃ」を、各指の符号Ｆ１〜Ｆ５の後に付すものとする。また、各指Ｆ１〜Ｆ５と掌Ｐの各境界部分の符号をＢ１〜Ｂ５とする。
【００２５】
本グローブ１は、図１〜図５に示すように、グローブ本体が綿等の天然繊維やポリエステル等の化学繊維により形成されたものであり、第１指Ｆ１が挿入される部位１ａについては第１関節Ｆ１ａに対応する位置と、第２関節Ｆ１ｂに対応する位置との間で裁断されている。また、第２指Ｆ２から第５指Ｆ５までの全指が挿入される部位１ｂについては各第２関節Ｆ２ｂ，Ｆ３ｂ，Ｆ４ｂ，Ｆ５ｂに対応する位置と、各第３関節Ｆ２ｃ，Ｆ３ｃ，Ｆ４ｃ，Ｆ５ｃに対応する位置との間であって、各指Ｆ２〜Ｆ５と掌Ｐの各境界部分Ｂ２〜Ｂ５より先端側で裁断されている。このため、本グローブ１を着用した場合、各指Ｆ１〜Ｆ５の先端部分が突出する状態になるため、素手の状態と同様に手先で細かい作業が行い易くなる。
【００２６】
本グローブ１は、図２に示すように、本グローブ１の掌Ｐ側の面における第２指Ｆ２から第５指Ｆ５までの全指の第２関節Ｆ２ｂ〜Ｆ５ｂと第３関節Ｆ２ｃ〜Ｆ５ｃの間に対応する位置に指屈伸補助部材１０が設けられている。そして、本グローブ１が手に着用された際に、該指屈伸補助部材１０が第２指Ｆ２から第５指Ｆ５までの全指と掌Ｐの境界部分Ｂ２〜Ｂ５に対応する位置に配置される。
【００２７】
この指屈伸補助部材１０は、図２に示すように、第２指Ｆ２から第５指Ｆ５にかけて掌Ｐの幅方向に延びる態様に長さＬで形成されており、第２指Ｆ２から第５指Ｆ５までの全指と掌Ｐの境界部分Ｂ２〜Ｂ５を覆うことができる。具体的には、この指屈伸補助部材１０は、図４に示すように、掌Ｐに平行な平板状に形成されたものであり、このことにより本グローブ１の着用時において各指Ｆ２〜Ｆ５の虫様筋ＭＡに対応する位置に対して指屈伸補助部材１０を広い範囲で被覆させることができる。なお、本実施形態では、長さＬは第２指Ｆ２における第１指Ｆ１側の側面部近傍から第５指Ｆ５の外側の側面部近傍までの長さであり、本グローブ１を着用する人の手の大きさによって適宜設定される。
【００２８】
また、指屈伸補助部材１０は、厚みＤが３〜８ｍｍに形成され（図４参照）、幅Ｗが５〜４０ｍｍに形成されている（図２参照）。厚みＤが３〜８ｍｍであることより、各指Ｆ２〜Ｆ５を屈伸させる際の指屈伸補助部材１０による違和感を小さくすることができ、幅Ｗが５〜４０ｍｍであることより、指屈伸補助部材１０が第２指Ｆ２〜第５指Ｆ５の屈伸を阻害することを防止することができる。
【００２９】
また、この指屈伸補助部材１０は、図２および図３に示すように、第２指Ｆ２側の端部（図２中では左側端部）が第２指Ｆ２に沿って側面側に延長するとともに、第５指Ｆ５側の端部（図２中では右側端部）が第５指Ｆ５に沿って側面側に延長している。これにより、各指Ｆ２〜Ｆ５を屈伸させる等の手の動きによって指屈伸補助部材１０が幅方向に多少ずれても、指屈伸補助部材１０を各指Ｆ２〜Ｆ５の虫様筋ＭＡに対応する位置に確実に配置することができる。
【００３０】
また、指屈伸補助部材１０は、ゴム素材あるいはゴム素材を用いた弾性部材からなり、第２指Ｆ２から第５指Ｆ５までの全指が屈伸することに追従して変形するため、本グローブ１の着用時において第２指Ｆ２〜第５指Ｆ５の全指をスムーズに屈伸させることができる。
【００３１】
而して、図１〜図３に示すように、腱鞘炎、老化、あるいは手の不自由等によって指を屈伸し難くなっている手に上述した本グローブ１を着用すると、指屈伸補助部材１０は第２指Ｆ２から第５指Ｆ５の全指と掌Ｐの境界部分Ｂ２〜Ｂ５に対応する位置に配置される。そして、図５に示すように、手の指を屈伸させて指屈伸補助部材１０を幅（Ｗ）方向に握りつぶすように押圧すると、指屈伸補助部材１０が第２指Ｆ２から第５指Ｆ５の虫様筋ＭＡに作用して、該虫様筋ＭＡに連結された腱が引っ張られ易くなるため、各指Ｆ２〜Ｆ５を簡単かつ確実に屈伸させることができる。また、各指Ｆ２〜Ｆ５を屈伸させる際に腱および腱鞘にかかる負担が小さくなるため、痛みを生じさせないあるいは痛みを軽減することができる。
【００３２】
具体的には、第２指Ｆ２から第５指Ｆ５を曲げる際には、指屈伸補助部材１０が虫様筋ＭＡに作用することによって腱が容易に引っ張られるため、第２指Ｆ２から第５指Ｆ５の全指を簡単かつ確実に曲げることができる。一方、第２指Ｆ２から第５指Ｆ５を伸ばす際には、指屈伸補助部材１０の虫様筋ＭＡに対する作用が次第に小さくなり、簡単かつ確実に第２指Ｆ２から第５指Ｆ５の全指を伸ばすことができる。
【００３３】
また、本グローブ１を着用した状態において、第２指Ｆ２から第５指Ｆ５を屈伸させて該指Ｆ２〜Ｆ５の先端で指屈伸補助部材１０を押圧することにより、虫様筋ＭＡやその他周囲の筋肉等が強化され、血行を促進することができる。特に、各指Ｆ２〜Ｆ５が屈伸することによって指屈伸補助部材１０の上端部および下端部が虫様筋ＭＡその他周囲の筋肉等を刺激して、虫様筋ＭＡ等がより強化されるとともに、血行をさらに促進することができる。
【００３４】
また、上述の効果の他、本グローブ１を着用した状態で各指Ｆ２〜Ｆ５を屈伸させることによって、例えば手全体が鍛練されて手に生じていた痛みが軽減したり、本グローブ１の着用時では未着用時に比べて掌Ｐや手首等の手全体が楽に感じられ、荷物等を持った場合には本グローブ１の着用時では未着用時に比べて荷物を軽く感じられたり、第２指等に生じたガングリオンの治療に寄与したり、手のしびれが解消したり等、本グローブ１によって数多くの効果が得られる。
【００３５】
また、本グローブ１では、指屈伸補助部材１０が第２指Ｆ２から第５指Ｆ５にかけて掌Ｐの幅方向に延びる態様に形成されていることより、指屈伸補助部材１０が各指Ｆ２〜Ｆ５までの全ての虫様筋ＭＡに同時に作用するため、全ての指Ｆ２〜Ｆ５をより簡単かつ確実に屈伸することができる。しかも、指屈伸補助部材１０が掌Ｐに平行な平板状に形成されていることより、指屈伸補助部材１０が虫様筋ＭＡに対して広い範囲で作用し得るため、各指Ｆ２〜Ｆ５をより一層簡単かつ確実に屈伸させることが可能である。
【００３６】
また、指屈伸補助部材１０は、厚みＤが３〜８ｍｍに形成されているため、虫様筋ＭＡに指屈伸補助部材１０を効率的に作用させることができる。ここで、厚みＤが３〜８ｍｍの範囲で設定するのは、仮に厚みＤが３ｍｍ未満の場合、指屈伸補助部材１０が虫様筋ＭＡに対して作用しない場合があり、厚みＤが８ｍｍを超える場合、各指Ｆ２〜Ｆ５を屈伸させるに際して大きな違和感が生じさせる場合があるとともに、各指Ｆ２〜Ｆ５を屈伸し難くなってしまう場合が生じるからである。
【００３７】
また、指屈伸補助部材１０は、幅Ｗが５〜４０ｍｍに形成されていることにより、虫様筋ＭＡに指屈伸補助部材１０をより効率的に作用させることができる。ここで、幅Ｗが５〜４０ｍｍの範囲で設定するのは、仮に幅Ｗが５ｍｍ未満の場合、指屈伸補助部材１０が虫様筋ＭＡに対して大きく作用しない場合があり、幅Ｗが４０ｍｍを超える場合、各指Ｆ２〜Ｆ５を屈伸し難くなる場合が生じるからである。
【００３８】
＜第２の実施形態＞
次に、本発明に係る指屈伸補助用グローブの第２の実施形態について図６〜図９を参照しつつ説明する。本実施形態では、指屈伸補助部材の変形例について説明する。なお、以下では上記の実施形態と異なる構成についてのみ説明することとし、同一の構成については説明を省略して同一の符号を付すこととする。
【００３９】
本実施形態の第１の変形例として、本グローブ２は、図６に示すように、指屈伸補助部材２０を備えている。この指屈伸補助部材２０は、第２指Ｆ２側の端部が第２指Ｆ２の第１指Ｆ１側の側面を回り込んで第２指Ｆ２の背面部まで延長するとともに、第５指Ｆ５側の端部が第５指Ｆ５の外側の側面を回り込んで第５指Ｆ５の背面部まで延長する。この本グローブ２によれば、各指Ｆ２〜Ｆ５を屈伸させる等の手の動きによって指屈伸補助部材２０が幅方向に大きくずれても、指屈伸補助部材２０を各指Ｆ２〜Ｆ５の虫様筋ＭＡに対応する位置に確実に配置することができる。
【００４０】
また、第２の変形例として、本グローブ３は、図７に示すように、指屈伸補助部材３０を備えている。この指屈伸補助部材３０は、第２指Ｆ２および第３指Ｆ３の各第２関節Ｆ２ｂ，Ｆ３ｂと、第２指Ｆ２および第３指Ｆ３の各第３関節Ｆ２ｃ，Ｆ３ｃの間に対応する位置に配置された指屈伸補助部材３１と、第４指Ｆ４および第５指Ｆ５の各第２関節Ｆ４ｂ，Ｆ５ｂと、第４指Ｆ４および第５指Ｆ５の各第３関節Ｆ４ｃ，Ｆ５ｃの間に対応する位置に配置された指屈伸補助部材３２とが設けられている。
【００４１】
前記指屈伸補助部材３１は、第２指Ｆ２側の端部が第２指Ｆ２の第１指Ｆ１側の側面を回り込んで第２指Ｆ２の背面部まで延長している。また、前記指屈伸補助部材３２は、第５指Ｆ５側の端部が第５指Ｆ５の外側の側面を回り込んで第５指Ｆ５の背面部まで延長している。この本グローブ３によれば、第２指Ｆ２および第３指Ｆ３の２本の指と、第４指Ｆ４および第５指Ｆ５の２本の指とをそれぞれ別々に屈伸し易くすることができる。
【００４２】
また、第３の変形例として、本グローブ４は、図８に示すように、指屈伸補助部材４０を備えている。この指屈伸補助部材４０は、第２指Ｆ２の第２関節Ｆ２ｂと第３関節Ｆ２ｃの間に対応する位置に配置された指屈伸補助部材４１と、第３指Ｆ３の第２関節Ｆ３ｂと第３関節Ｆ３ｃの間に対応する位置に配置された指屈伸補助部材４２と、第４指Ｆ４の第２関節Ｆ４ｂと第３関節Ｆ４ｃの間に対応する位置に配置された指屈伸補助部材４３と、第５指Ｆ５の第２関節Ｆ５ｂと第３関節Ｆ５ｃの間に対応する位置に配置された指屈伸補助部材４４とが設けられている。
【００４３】
この本グローブ４によれば、各指各指Ｆ２〜Ｆ５をそれぞれ別々に屈伸し易くすることができる。また、指屈伸補助部材は指屈伸補助部材が２個または４個に限られず、３個または５個以上で構成されていてもよい。
【００４４】
また、第４の変形例として、本グローブ５は、図９に示すように、指屈伸補助部材５０を備えている。この指屈伸補助部材５０は、第２指Ｆ２から第５指Ｆ５にかけて掌Ｐの幅方向に延び、第５指Ｆ５の端部で手の甲側に回り込んだあと、第５指Ｆ５から第２指Ｆ２にかけて手の甲の幅方向に延び、第２指Ｆ２の端部で掌Ｐ側に回り込んで戻る態様の環状に形成されている。
【００４５】
この本グローブ５によれば、各指Ｆ２〜Ｆ５を屈伸させる等の手の動きによって指屈伸補助部材５０が周方向に大きくずれても、指屈伸補助部材５０を虫様筋ＭＡに対して一定の作用を奏することができる。
【００４６】
なお、上記第１および第２の実施形態では、各指屈伸補助部材が掌に平行な平板状に形成されている場合について説明したが、凹凸がある等その他の形状で形成されていてもよい。
【００４７】
＜第３の実施形態＞
次に、本発明に係る指屈伸補助用グローブの第３の実施形態について図１０〜図１２を参照しつつ説明する。
【００４８】
本実施形態に係る本グローブ６は、図１０に示すように、本グローブ６の掌Ｐ側の面における第１指Ｆ１の第１関節Ｆ１ａと第２関節Ｆ１ｂの間に対応する位置に第１指用の指屈伸補助部材６０が設けられている。そして、図１１に示すように、本グローブ６が手に着用された際に該指屈伸補助部材６０が第１指Ｆ１と掌Ｐの境界部分Ｂ１に対応する位置に配置される。また、この指屈伸補助部材６０は、第１指Ｆ１の周方向について環状に形成されている。なお、指屈伸補助部材６０は、素材、厚み、幅が指屈伸補助部材１０と同様であるため詳細を省略する。
【００４９】
而して、本グローブ６を手に着用すると、指屈伸補助部材６０は第１指Ｆ１と掌Ｐの境界部分Ｂ１を覆うことができる。そして、図１２に示すように、手の第１指Ｆ１を屈伸させて指屈伸補助部材６０を幅方向に握りつぶすように押圧すると、指屈伸補助部材６０が第１指Ｆ１の母指内転筋ＭＢに作用して、該母指内転筋ＭＢに連結された腱が引っ張られ易くなるため、第１指Ｆ１を簡単かつ確実に屈伸させることができる。また、第１指Ｆ１を屈伸させる際に腱および腱鞘にかかる負担が小さくなるため、痛みを生じさせないあるいは痛みを軽減することができる。
【００５０】
なお、本実施形態では、第１指の母指内転筋ＭＢに作用する第１指用の指屈伸補助部材６０とともに、第２指Ｆ２〜第５指Ｆ５の各虫様筋ＭＡに作用する指屈伸補助部材２０が設けられている場合について説明したが、第１指用の指屈伸補助部材６０のみが設けられているものであってもよい。
【００５１】
また、上記第１〜第３の各実施形態では、各指屈伸補助部材の厚みＤが３〜８ｍｍに形成されている場合について説明したが、厚みＤが３ｍｍ未満あるいは８ｍｍを超える態様で形成されていてもよい。
【００５２】
また、各指屈伸補助部材の幅Ｗが５〜４０ｍｍに形成されている場合について説明したが、幅がＷ５ｍｍ未満あるいは４０ｍｍを超える態様で形成されていてもよい。
【００５３】
また、指屈伸補助部材が弾性部材からなる場合について説明したが、それ以外の素材からなるものであってもよい。
【００５４】
また、本グローブは腱鞘炎、老化、あるいは手の不自由等によって指を屈伸し難くなっている手に着用される場合について説明したが、一般の人の手に着用されてもよい。
【００５５】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５６】
１〜６…指屈伸補助用グローブ（本グローブ）
１ａ…第１指を挿入する部位
１ｂ…第２指〜第５指を挿入する部位
１０，２０，３０，４０，５０…指屈伸補助部材
６０…第１指用の指屈伸補助部材
Ｐ…掌
Ｆ１…第１指  
Ｆ１ａ…第１指の第１関節
Ｆ１ｂ…第１指の第２関節
Ｂ１…第１指と掌の境界部分
Ｆ２〜Ｆ５…第２指〜第５指  
Ｆ１ａ〜Ｆ５ａ…第２指〜第５指の第１関節
Ｆ１ｂ〜Ｆ５ｂ…第２指〜第５指の第２関節
Ｆ１ｃ〜Ｆ５ｃ…第２指〜第５指の第３関節
Ｂ２〜Ｂ５…第２指〜第５指と掌の各境界部分
ＭＡ…虫様筋
ＭＢ…母指内転筋
Ｔ…腱
Ｔｓ…腱鞘  
【図１】
2014147604.tif 000003
【図２】
2014147604.tif 000004
【図３】
2014147604.tif 000005
【図４】
2014147604.tif 000006
【図５】
2014147604.tif 000007
【図６】
2014147604.tif 000008
【図７】
2014147604.tif 000009
【図８】
2014147604.tif 000010
【図９】
2014147604.tif 000011
【図１０】
2014147604.tif 000012
【図１１】
2014147604.tif 000013
【図１２】
2014147604.tif 000014
【図１３】
2014147604.tif 000015